【手続補正書】
【提出日】平成19年1月31日(2007.1.31)
【手続補正１】
【補正対象書類名】明細書
【補正対象項目名】特許請求の範囲
【補正方法】変更
【補正の内容】
【特許請求の範囲】
【請求項１】
実写画像付きのコミュニケーション・データを作成するためのコミュニケーション・データ作成装置であって、
ユーザが文章又は発言を入力するための文章入力部と、
ユーザを所定時間以内に複数回撮像する撮像部と、
前記文章入力部において入力された文章又は発言内容と前記撮像部において撮像された複数の画像とで構成されるコミュニケーション・データを作成する処理部と、
を具備することを特徴とするコミュニケーション・データ作成装置。
【請求項２】
前記処理部は、ユーザが前記文章入力部に文章又は発言を入力したことに応答して撮像部による複数回の撮像を実行開始するとともに、コミュニケーション・データを作成することを特徴とする請求項１に記載のコミュニケーション・データ作成装置。
【請求項３】
前記撮像部における各撮像タイミングをユーザに対して表示するインジケータをさらに含むことを特徴とする請求項１に記載のコミュニケーション・データ作成装置。
【請求項４】
前記文章入力部を介して入力された文章を解析する文章解析部と、
該文章解析部による解析結果に従って前記撮像部による撮像画像を処理する画像処理部と、
をさらに具備することを特徴とする請求項１に記載のコミュニケーション・データ作成装置。
【請求項５】
前記文章解析部は、前記文章入力部を介して入力された文章中の単語や言い回しの他に、"！"や"？"などの符号、フェイス・マーク、エスケープ・シーケンスなどを抽出して、これら符号を手がかりにして文章の意味内容を判定することを特徴とする請求項４に記載のコミュニケーション・データ作成装置。
【請求項６】
前記画像処理部は、前記文章解析部による文章解析の結果判定されたユーザの感情や文章の用途に応じて、撮像画像の背景の設定や明度・輝度・濃淡の調整、ＣＧ画像との重ね合わせ、セピア調・油絵調・水彩画調・モザイク調への画像合成、ネガポジ反転、又は、その他の画像合成・変形処理を行うことを特徴とする請求項４に記載のコミュニケーション・データ作成装置。
【請求項７】
前記文章入力部は、入力文章の意味内容を明示する符号又はエスケープ・シーケンスを入力可能であることを特徴とする請求項１に記載のコミュニケーション・データ作成装置。
【請求項８】
作成したコミュニケーション・データを外部に転送する通信部をさらに具備することを特徴とする請求項１に記載のコミュニケーション・データ作成装置。
【請求項９】
作成したコミュニケーション・データを格納するデータ蓄積部をさらに具備することを特徴とする請求項１に記載のコミュニケーション・データ作成装置。
【請求項１０】
複数のユーザの識別子と位置情報とを組にして登録するユーザ位置情報登録部と、
前記撮像部の撮像領域を所定の位置まで移動させる駆動部と、
をさらに具備し、
前記処理部は、あるユーザによって前記文章入力部に文章の入力が行われたことに応答して、前記ユーザ位置登録部に問い合わせて該当する位置情報を取得し、該位置情報に従って前記駆動部により前記撮像部の撮像領域を移動させて、前記文章入力部において入力された文章又は発言内容と前記撮像部において撮像された複数の画像とで構成されるコミュニケーション・データを作成する、
ことを特徴とする請求項１に記載のコミュニケーション・データ作成装置。
【請求項１１】
前記ユーザ位置登録部は前記コミュニケーション・データ作成装置本体とはネットワーク接続されていることを特徴とする請求項１０に記載のコミュニケーション・データ作成装置。
【請求項１２】
実写画像付きのコミュニケーション・データを作成するためのコミュニケーション・データ作成方法であって、
ユーザが文章又は発言を入力するための文章入力ステップと、
ユーザを所定時間以内に複数回撮像する撮像ステップと、
前記文章入力ステップにおいて入力された文章又は発言内容と前記撮像ステップにおいて撮像された複数の画像とで構成されるコミュニケーション・データを作成する処理ステップと、
を具備することを特徴とするコミュニケーション・データ作成方法。
【請求項１３】
文章データと複数の画像データで構成されるコミュニケーション・データを再生するコミュニケーション・データ再生装置であって、
表示画面を有する表示部と、
前記表示画面上にコミュニケーション・データを表示するためのコマを設定し、該コマの中にコミュニケーション・データに含まれる文章及び複数の画像のうち１つを表示せしめる表示制御部と、
を具備することを特徴とするコミュニケーション・データ再生装置。
【請求項１４】
コミュニケーション・データを外部から受信する通信部をさらに具備する、
ことを特徴とする請求項１３に記載のコミュニケーション・データ再生装置。
【請求項１５】
複数のコミュニケーション・データを格納することができるデータ蓄積部をさらに具備する、
ことを特徴とする請求項１３に記載のコミュニケーション・データ再生装置。
【請求項１６】
前記表示制御部は、コマ内に表示する画像を切り替える、
ことを特徴とする請求項１３に記載のコミュニケーション・データ再生装置。
【請求項１７】
前記表示制御部は、コマ内に表示する画像をランダムな時間間隔で切り替える、ことを特徴とする請求項１３に記載のコミュニケーション・データ再生装置。
【請求項１８】
前記表示制御部は、前記表示画面上に複数のコミュニケーション・データを表示するための各コマを割り当てる、
ことを特徴とする請求項１３に記載のコミュニケーション・データ再生装置。
【請求項１９】
前記表示制御部は、各コマの縦又は横方向の配置や大きさが不揃いとなるように前記表示画面上に配設する、
ことを特徴とする請求項１８に記載のコミュニケーション・データ再生装置。
【請求項２０】
文章データと複数の画像データで構成されるコミュニケーション・データを表画面上に表示するコミュニケーション・データ再生方法であって、
前記表示画面上にコミュニケーション・データを表示するためのコマを設定し、該コマの中にコミュニケーション・データに含まれる文章及び複数の画像のうち１つを表示する表示制御ステップを具備する、
ことを特徴とするコミュニケーション・データ再生方法。
【請求項２１】
実写画像付きのコミュニケーション・データを作成する処理をコンピュータ用で実行するようにコンピュータ言語で記述したソフトウェア・プログラムをコンピュータ可読形式で記憶したプログラム記憶媒体であって、前記ソフトウェア・プログラムは前記コンピュータに対し、
ユーザが文章又は発言を入力するための文章入力手順と、
ユーザを所定時間以内に複数回撮像する撮像手順と、
前記文章入力ステップにおいて入力された文章又は発言内容と前記撮像ステップにおいて撮像された複数の画像とで構成されるコミュニケーション・データを作成する処理手順と、
を実行させることを特徴とするプログラム記憶媒体。
【請求項２２】
文章データと複数の画像データで構成されるコミュニケーション・データを表画面上で再生する処理をコンピュータ上で実行するようにコンピュータ言語で記述したソフトウェア・プログラムをコンピュータ可読形式で記憶したプログラム記憶媒体であって、
前記表示画面上にコミュニケーション・データを表示するためのコマを設定し、
前記ソフトウェア・プログラムは前記コンピュータに対し、該コマの中にコミュニケーション・データに含まれる文章及び複数の画像のうち１つを表示する表示制御手順を実行させる、
ことを特徴とするプログラム記憶媒体。
【手続補正２】
【補正対象書類名】明細書
【補正対象項目名】０００８
【補正方法】変更
【補正の内容】
【０００８】
また、チャットとは、ネットワーク上でキーボード入力文字を使ってリアルタイムに会話を行う"on-line-talk"である。通常、複数のユーザがチャットにログインして、同時に会話することができるし、各人の発言が参加者全員のモニタ画面上に提示されるようになっている。チャットによれば、遠隔地に散在するユーザ間でリアルタイムの会話若しくは議論を、インターネット上に構築された仮想世界において享受することができる。また、チャット・システムが提供する仮想世界にログインしさえすれば即座に会話への参加資格が随時得られ、各ユーザが実生活上で顔見知りである必要がないという気軽さも、チャットの大きな魅力であろう。電子メールやＢＢＳによるインタラクションが非同期的であるのに対して、チャットの対話は同期的であり、ログイン・ユーザによる入力文字列は他のユーザに即時的に配信される。また、相手の反応を確認しながら発言することができるので、ユーザにとって刺激的である。また、チャットでは、比較的短い文章がやり取りされる慣習がある点でも、比較的まとまった量の文章を交換する電子メールとは相違する。
【手続補正３】
【補正対象書類名】明細書
【補正対象項目名】００１１
【補正方法】変更
【補正の内容】
【００１１】
コミュニケーションは、言葉だけでなく、映像を用いた方が、互いの表情を伝え合うことができ、臨場感が増すことは言うまでもない。しかしながら、映像データをネットワーク転送する場合には、以下に示すような問題点を伴う。すなわち、
【手続補正４】
【補正対象書類名】明細書
【補正対象項目名】００２２
【補正方法】変更
【補正の内容】
【００２２】
本発明の第１の側面に係るコミュニケーション・データ作成装置又は方法において、前記処理部又はステップは、ユーザが前記文章入力部に文章又は発言を入力したことに応答して撮像部又はステップによる複数回の撮像を実行開始するとともに、コミュニケーション・データを作成するようにしてもよい。
【手続補正５】
【補正対象書類名】明細書
【補正対象項目名】００４９
【補正方法】変更
【補正の内容】
【００４９】
ネットワーク・インターフェース１６は、Ｅｔｈｅｒｎｅｔ（登録商標）などの所定の通信プロトコルに従って、システム１をＬＡＮ（Local Area Network）などのネットワークに接続することができる。ネットワーク・インターフェース１６は、一般に、ＬＡＮアダプタ・カードの形態で提供され、マザーボード（図示しない）上のＰＣＩバス・スロットに装着して用いられる。但し、ネットワーク・インターフェースではなく、モデム（図示しない）経由で外部ネットワークに接続することもできる。